(57)【特許請求の範囲】
【請求項１】
プラテンの上面に記録用紙を供給して記録ヘッドにより印字する記録装置において、
前記プラテンの上面に、前記記録用紙の搬送方向に沿って設けられ、溝部を形成する複数のリブと、
印字領域の前記溝部の底面に形成された吸引口と、
前記吸引口から空気を吸引して前記溝部に吸引力を発生させる吸引手段と、
を有し、
各サイズの記録用紙の幅方向両端部がそれぞれ通過する前記溝部の吸引口総面積を、他の前記溝部の吸引口総面積よりも大とすることを特徴とする記録装置。
【請求項２】
前記吸引口が、前記溝部の底面の中央部付近に形成されていることを特徴とする請求項１に記載の記録装置。
【請求項３】
ローラと、前記ローラとの間に記録用紙をニップして排出する拍車とを有する記録装置において、
前記吸引口は、隣り合う前記拍車の間となる位置に形成されていることを特徴とする請求項１又は請求項２に記載の記録装置。
【請求項４】
前記溝部の吸引口総面積を、すべてのサイズの記録用紙が通過する共通エリアでは大とし、それ以外のエリアでは小としたことを特徴とする請求項１から請求項３のうち何れか一項に記載の記録装置。
【請求項５】
前記吸引口の開口面積を調整することにより、前記溝部の吸引口総面積を調整することを特徴とする請求項４に記載の記録装置。
【請求項６】
搬送方向に沿って形成した前記吸引口の個数を調整することにより、前記溝部の吸引口総面積を調整することを特徴とする請求項４に記載の記録装置。
【請求項７】
前記共通エリアの大きさが、はがきサイズの記録用紙が通過するエリアであることを特徴とする請求項４〜請求項６のうち何れか一項に記載の記録装置。
【発明の詳細な説明】
【０００１】
【発明の属する技術分野】
本発明は、印字する際に記録用紙が浮き上がることを防止した記録装置に関する。
【０００２】
【従来の技術】
図１４に示すように、記録用紙（以下、単に用紙という）に印字するインクジェット型等の従来の記録装置１００は、搬送されてきた用紙Ｙをプラテン１０２の上面に載せ、記録ヘッド１０４により印字する。
【０００３】
ところで、この従来の記録装置１００では、印字する際、搬送方向に直交する方向の用紙Ｙ、特に縁部（以下、幅方向両端部という）が、プラテン１０２の上面から浮き上がるという好ましくない事態が生じていた。
【０００４】
この対策を施した記録装置として、特開平８−１９２５４４号公報により開示された記録装置が知られている。この記録装置は、図１５、図１６に示すように、用紙を載せるプラテン１１２に、空気を吸引する吸引孔１１４を形成しており、吸引孔１１４の下方に設けられた負圧室（図示せず）へ吸引孔１１４から空気吸引することにより、用紙がプラテン１１２から浮き上がることを防止している。
【０００５】
しかし、特開平８−１９２５４４号公報により開示されたこの記録装置では、プラテン１１２の上面が平面又は曲面であり、吸引孔１１４からの吸引により用紙がプラテン１１２に過度に吸い付けられて搬送し難くなる事態が生じる。しかも、吸引孔１１４の寸法や位置が特に調整されていないので、この事態は頻繁に起こり得ると考えられる。また、例えばＡ４サイズの用紙Ａ４に対応させて吸引孔１１４を配列した場合、Ｂ５サイズの用紙Ｂ５等、用紙Ａ４に比べてサイズの小さい用紙を搬送すると、搬送方向に直交する方向の端部に配置された吸引孔１１４Ａの上には用紙が搬送されてこず、このため、負圧室への空気の吸引量が過大となって負圧室の負圧が低下して、他の吸引孔１１４Ｂによる用紙の吸引力が低減するという難点もある。
【０００６】
また、別の対策を施した記録装置として、図１７、図１８に示すように、特開平９−２２０８３７号公報により開示された記録装置１２０が知られている。この記録装置１２０では、プラテン１２２の上面に用紙Ｙの反搬送方向に流れる気流Ｖを発生させて用紙Ｙとプラテン１２２との間を若干負圧にし、搬送ローラ１２４、１２６によって搬送される用紙Ｙがプラテン１２２から浮き上がることを防止している。この気流Ｖを発生させるために、搬送方向Ｕの下流側に空気吸引用の吸引口１２８を設け、更に、必要に応じて、搬送方向Ｕと平行な複数本のリブ１３０をプラテン１２２の上面に設けている。
【０００７】
しかし、この記録装置１２０では、搬送中の用紙Ｙの先端位置及び後端位置に応じて吸引口１２８の開閉操作を行う必要があり、しかも、この先端位置及び後端位置は、用紙Ｙのサイズ毎に異なる。従って、この機構の構造は、必然的に複雑な構造になる。また、用紙の幅方向両端部が印字によってカール状に変形し易い。これを防止する対策として、負圧力を増大させて、幅方向両端部がプラテン１２２から浮き上がることを防止する手段が考えられるが、用紙Ｙに作用させる搬送力を増大させる必要があるため、搬送精度に悪影響を及ぼすという難点がある。
【０００８】
【発明が解決しようとする課題】
本発明は、上記事実を考慮して、用紙全体に作用する吸引力を増大させることなく、種々のサイズの用紙に印字してもプラテンから用紙が浮き上がらない記録装置を提供することを課題とする。
【０００９】
【課題を解決するための手段】
請求項１に記載の発明では、プラテンの上面に記録用紙を供給して記録ヘッドにより印字する記録装置において、前記プラテンの上面に、前記記録用紙の搬送方向に沿って設けられ、溝部を形成する複数のリブと、印字領域の前記溝部の底面に形成された吸引口と、前記吸引口から空気を吸引して前記溝部に吸引力を発生させる吸引手段と、を有し、各サイズの記録用紙の幅方向両端部がそれぞれ通過する前記溝部の吸引口総面積を、他の前記溝部の吸引口総面積よりも大とすることを特徴とする。
【００１０】
記録用紙で印字する際、吸引手段により、吸引口から空気を吸引する。
【００１１】
これにより、溝部の印字領域に吸引力が発生し、印字領域の上に記録用紙が搬送されてきたとき、記録用紙はプラテン側に吸引され、印字の際、記録用紙がプラテンから浮き上がることが防止される。また、印字領域に吸引力を集中させ、用紙全体に作用する吸引力を増大させる必要がないので、用紙に過大な搬送力を加える必要がなく、搬送精度が良い。
また、各記録用紙の幅方向両端部が通過する溝部での吸引力のみを強くすることができ、従って、記録用紙のサイズ毎に吸引力を変えなくても記録用紙の浮き上がりを防止できる。
【００１２】
請求項２に記載の発明では、前記吸引口が、前記溝部の底面の中央部付近に形成されていることを特徴とする。
【００１３】
これにより、溝部の中央部で記録用紙に吸引力を加えることが可能になり、吸引力が搬送方向の上流側及び下流側にも作用するので、従来のように吸引口の開閉操作を行う必要がなく、記録装置の構造が簡素である。
【００１４】
請求項３に記載の発明では、ローラと、前記ローラとの間に記録用紙をニップして排出する拍車とを有する記録装置において、前記吸引口は、隣り合う前記拍車の間となる位置に形成されていることを特徴とする。
【００１５】
印字により記録用紙に形成される凸部は、拍車間で発生し易い。請求項３に記載の発明により、記録用紙のこの凸部を吸引して記録用紙の浮き上がりを効率良く防止することができる。また、記録ヘッドのヘッド面と記録用紙との接触を防止することができるので、ヘッド面が損傷したり記録用紙が汚れたりすることを防止できる。
【００１６】
請求項４に記載の発明では、各溝部の吸引口総面積を、すべてのサイズの記録用紙が通過する共通エリアでは大とし、それ以外のエリアでは小としたことを特徴とする。
【００１７】
本明細書で吸引口総面積とは、各溝内での吸引口の総和面積のことをいう。例えば、溝に３個の吸引口が形成されている場合、この溝の吸引口総面積はこの３個の吸引口の面積を総和したものである。
【００１８】
請求項４に記載の発明により、吸引手段の吸引量が一定のとき、共通エリアでの吸引力を他のエリアに比べて大きくすることができる。また、他のエリアの上を記録用紙が通過しない場合でも、他のエリアでは吸引口総面積が小さいので、共通エリアでの記録用紙に及ぼす吸引力が低下することを防止することができる。
【００１９】
請求項５に記載の発明では、前記吸引口の開口面積を調整することにより、吸引口総面積を調整することを特徴とする。
【００２０】
これにより、吸引口１個あたりの開口面積を調整することにより、吸引口の数を増減しなくても吸引口総面積を調整することができる。
【００２１】
請求項６に記載の発明では、搬送方向に沿って形成した前記吸引口の個数を調整することにより、吸引口総面積を調整することを特徴とする。
【００２２】
これにより、記録用紙に広い範囲にわたり吸引力を及ぼすことが可能になる。
【００２３】
請求項７に記載の発明では、前記共通エリアの大きさが、はがきサイズの記録用紙が通過するエリアであることを特徴とする。
【００２４】
これにより、はがきを走行させても、他のエリアでの開口による圧力損失を小さくできる。また、はがきに作用する吸引力が大きいので、厚手のはがきに印字しても、はがきを浮き上がらせることなく搬送できる。
【００２５】
【発明の実施の形態】
図１に示すように、第１形態に係る記録装置１０は、搬送ローラ１２及びピンチローラ２２で挟持されながら搬送される記録用紙Ｓ（以下、単に用紙という）を受けるプラテン１６と、プラテン１６の下側に設けられた負圧室１８と、負圧室１８を吸引する排気ポンプ等の吸引装置２０とを備えている。また、記録装置１０は、プラテン１６の搬送方向下流側に、搬送方向に直交する排紙ローラ２４及び拍車２６を備えている。
【００２６】
このような構成により、搬送ローラ１２及びピンチローラ２２でニップされてプラテン１６の上に搬送された用紙Ｓは、記録ヘッド２８により印字された後、排紙ローラ２４及び拍車２６でニップされてプラテン１６から排出される。
【００２７】
図２に示すように、プラテン１６の上面には、用紙の搬送方向Ｕに沿ってリブ３０が並列して所定の間隔で配設されている。リブ３０の配設されている位置は、各拍車２６が設けられている位置Ｌ１、及び、隣り合う拍車２６間の位置Ｌ２とされている。このリブ３０と、プラテン１６とによって形成された断面凹状の溝部４０の底面４０Ａに、空気を吸引する吸引口３４が形成されている。従って、吸引口３４は、隣り合う拍車２６の間に形成されている。
【００２８】
また、図３に示すように、各吸引口３４は、負圧室１８と連通している。負圧室１８は、吸引装置２０により負圧にされており、吸引口３４から負圧室１８へ空気が吸引される。
【００２９】
図４に示すように、吸引口３４は、Ｐ１位置の溝部４０Ｐ１、Ｐ２位置の溝部４０Ｐ２、Ｐ３位置の溝部４０Ｐ３、Ｐ４位置の溝部４０Ｐ４、ＰＲ位置の溝部４０ＰＲ、及び、Ｐ４位置よりも右側の溝部４０ＰＸでは、何れも３個、他の位置の溝部４０Ｄでは何れも２個、各溝部４０の中央に搬送方向に沿って一列に形成されている。ここで、Ｐ１位置、Ｐ２位置、Ｐ３位置、及びＰ４位置は、それぞれ、Ａ４サイズ、Ｂ５サイズ、Ａ５サイズ、及びはがきサイズの各用紙の幅方向片側端部が通過する位置である。また、ＰＲ位置は、上記各用紙の幅方向のもう一方の片側端部が通過して位置決めされるところである。各吸引口３４は径が同一の円状であり、各吸引口３４の開口面積は同一である。従って、吸引口３４が３個形成されている溝部４０Ｐ１、４０Ｐ２、４０Ｐ３、４０Ｐ４、４０ＰＸの吸引口総面積は、吸引口３４が２個形成されている溝部４０Ｄの吸引口総面積に比べて大きい。
【００３０】
また、全ての吸引口３４は、溝部４０のほぼ中央部で、しかも記録ヘッド２８（図１参照）が用紙に印字する印字領域ＡＲ（ハッチングで示す）の中に位置している。
【００３１】
記録装置１０を用いて用紙に印字するには、吸引装置２０（図３参照）により負圧室１８を所定の負圧にし、吸引口３４から空気を吸引し、溝部４０に吸引力を発生させた状態で、搬送ローラ１２（図１参照）及びピンチローラ２２でニップしてプラテン１６の上に用紙を搬送する。
【００３２】
図５に示すように、Ａ４サイズの用紙Ａ４を搬送する際には、溝部４０Ｐ１に形成された吸引口３４Ｐ１、及び溝部４０ＰＲに形成された吸引口３４ＰＲからの空気吸引により用紙Ａ４の幅方向両端部がリブ３０の上端に引き付けられ、摺動して搬送される。
【００３３】
これにより、用紙Ａ４がプラテン１６の上面に密着して搬送し難くなることはなく、搬送精度が良い。また、印字領域ＡＲ（図４参照）に吸引口３４が形成されているので、印字する際に用紙Ａ４の幅方向両端部が変形することが防止される。
【００３４】
図６に示すように、Ｂ５サイズの用紙Ｂ５を搬送する際には、溝部４０Ｐ２に形成された吸引口３４Ｐ２、及び上述の吸引口３４ＰＲからの空気吸引により、用紙Ｂ５の幅方向両端部がリブ３０の上端に引き付けられ、摺動して搬送される。
【００３５】
これにより、用紙Ａ４を印字する場合と同様、搬送精度が良く、印字する際に用紙Ｂ５の幅方向両端部が変形することは防止される。
【００３６】
図７に示すように、Ａ５サイズの用紙Ａ５を搬送する際には、溝部４０Ｐ３に形成された吸引口３４Ｐ３、及び上述の吸引口３４ＰＲからの空気吸引により、用紙Ａ５の幅方向両端部がリブ３０の上端に引き付けられ、摺動して搬送される。
【００３７】
図８に示すように、はがきサイズの用紙Ｈを搬送する際には、溝部４０Ｐ４に形成された吸引口３４Ｐ４、及び、溝部４０ＰＸに形成された吸引口３４ＰＸからの空気吸引により、用紙Ｈが前面にわたりリブ３０の上端に引き付けられ、摺動して搬送される。
【００３８】
また、第１形態では、用紙Ａ４、用紙Ｂ５、用紙Ａ５、及び、用紙Ｈ（はがきサイズの用紙）の幅方向両端部が通過する溝部４０Ｐ１〜４０Ｐ４及び溝部４０ＰＸには、吸引口３４を３個設けており、用紙の浮き上がりを充分に抑えることができる。そして、その他の溝部４０Ｄでは吸引口３４の個数を２個に減らしており、用紙が吸引口３４の上を通過しない場合（例えば、図８に示したように、用紙Ｈに印字するとき、この用紙Ａ５はＰ４位置よりも左側の溝部４０に形成されている吸引口３４の上を通過しない）、この吸引口３４は、搬送時にいわゆる開放状態になるが、ほとんどのものが溝部４０に２個形成されている吸引口３４である。従って、負圧室１８（図３参照）に吸引される空気量は過大にならないので、負圧室１８の負圧が大きく変化することはなく、吸引力が下がることは極力防止される。
【００３９】
なお、図９に示すように、溝部４０に２個形成した吸引口３４Ｗの位置は、３個形成した吸引口３４Ｔの搬送方向両端の吸引口３４Ｔ１、３４Ｔ２と同じ直線Ｓ１、Ｓ２の上に位置してもよい。また、２個形成した吸引口３４Ｗの大きさは、３個形成した吸引口３４Ｔの大きさに比べて小さくてもよい。これにより、種々のサイズの用紙を搬送する際に、負圧室１８の負圧の変化を更に抑えることができる。
【００４０】
次に、第２形態に係る記録装置を説明する。図１０に示すように、第２形態に係る記録装置は、第１形態の記録装置１０に比べ、吸引口の寸法、個数、位置等が異なり、それ以外の基本的な構成は同じである。以下、第１形態と同様の構成要素、部材等については同一符号を付して説明を省略する。
【００４１】
図１０に示すように、第２形態に係る記録装置のプラテン５０の上面には、第１形態で説明した溝部４０Ｐ１、４０Ｐ２、４０Ｐ３、４０Ｐ４、４０ＰＲでは、径が比較的大きい円状の吸引口５２が２個配列されており、溝部４０Ｄ及び溝部４０ＰＸでは、径が比較的小さい円状の吸引口５４が２個配列されている。また、吸引口５２、５４は、全て印字領域ＡＲの中に配設され、負圧室１８（図１、図３参照）に連通している。
【００４２】
第２形態に係る記録装置を用いて用紙に印字するには、吸引装置２０（図１、図３参照）により負圧室１８を所定の負圧にし、吸引口５２、５４から空気を吸引している状態で、搬送ローラ１２及びピンチローラ２２でニップしてプラテン５０の上に用紙を搬送する。
【００４３】
これにより、何れのサイズの用紙を印字する場合であっても、用紙の幅方向両端部は、径が大きい吸引口５２からの空気吸引によりリブ３０の上端に引き付けられて、用紙はリブ３０の上端を摺動して搬送され、搬送精度が良い。また、第１形態と同様、印字する際に用紙の幅方向両端部が変形することは防止される。
【００４４】
以下、第３形態に係る記録装置を説明する。図１１に示すように、第３形態に係る記録装置のプラテン６０では、溝部４０Ｐ１〜４０Ｐ４、及び、溝部４０ＰＲでは、吸引口３４が３個形成されており、他の溝部４０Ｄでは、吸引口３４が２個形成されている。
【００４５】
第３形態に係る記録装置を用いて用紙に印字するには、吸引装置２０（図１、図３参照）により負圧室１８を所定の負圧にし、吸引口３４から空気を吸引している状態で、搬送ローラ１２及びピンチローラ２２でニップしてプラテンの上に用紙を搬送する。
【００４６】
これにより、第２形態と同様の効果を奏することができる。
【００４７】
以下、第４形態に係る記録装置を説明する。図１２に示すように、第４形態に係る記録装置のプラテン７０では、溝部４０ＰＸ及び溝部４０ＰＲには、吸引口３４が３個形成されており、他の溝部には、吸引口３４が２個形成されている。
【００４８】
第４形態に係る記録装置を用いて印字するには、吸引装置２０（図１、図３参照）により負圧室１８を所定の負圧にし、吸引口３４から空気を吸引している状態で、搬送ローラ１２及びピンチローラ２２でニップしてプラテン７０の上に用紙を搬送する。
【００４９】
第４形態に係る記録装置で、はがきに印字した場合、溝部４０ＰＸ及び溝部４０ＰＲによる吸引力が大きい。このため、はがきが厚手であって印字により変形し易くても、この変形を充分に抑えることができる。
【００５０】
以下、第５形態に係る記録装置を説明する。図１３に示すように、第５形態に係る記録装置のプラテン８０では、溝部４０ＰＸ及び溝部４０ＰＲには吸引口８２が３個配列されており、他の溝部には吸引口８４が２個配列されている。そして、吸引口８４の径は、吸引口８２に比べて小さい。
【００５１】
第５形態に係る記録装置を用いて印字するには、吸引装置２０（図１、図３参照）により負圧室１８を所定の負圧にし、吸引口８２、８４から空気を吸引している状態で、搬送ローラ１２及びピンチローラ２２でニップしてプラテン８０の上に用紙を搬送する。
【００５２】
第５形態に係る記録装置ではがきに印字した場合、第４形態に比べ、はがきが通過しない吸引口８４からの空気吸引量が更に小さい。従って、溝部４０ＰＸ及び溝部４０ＰＲでの吸引力の低下を更に抑えることができる。
【００５３】
【発明の効果】
本発明は上記構成としたので、以下の効果を奏することができる。
【００５４】
請求項１に記載の発明によれば、溝部の上に記録用紙が搬送されてきたとき、記録用紙はプラテン側に吸引される。このため、印字の際、記録用紙がプラテンから浮き上がることが防止される。また、印字領域に吸引力を集中させ、用紙全体に作用する吸引力を増大させる必要がないので、用紙に過大な搬送力を加える必要がなく、搬送精度が良い。
【００５５】
請求項２に記載の発明によれば、溝部の中央部で記録用紙に吸引力を加えることが可能になり、吸引力が搬送方向の上流側及び下流側にも作用するので、従来のように吸引口の開閉操作を行う必要がなく、記録装置の構造が簡素である。
【００５６】
請求項３に記載の発明によれば、印字の際に記録用紙に形成される凸部を吸引して記録用紙の浮き上がりを効率良く防止することができる。
【００５７】
請求項４に記載の発明によれば、吸引手段の吸引量が一定のとき、共通エリアでの吸引力を他のエリアに比べて大きくすることができる。また、他のエリアの上を記録用紙が通過しない場合でも、他のエリアでは吸引口総面積が小さいので、共通エリアでの記録用紙に及ぼす吸引力が低下することを防止することができる。
【００５８】
請求項５に記載の発明によれば、吸引口１個あたりの開口面積を調整することにより、吸引口の数を増減しなくても吸引口総面積を調整することができる。
【００５９】
請求項６に記載の発明によれば、吸引口１個あたりの開口面積を変更せずに済み、製造工程が煩雑にならなくて済む。また、記録用紙に広い範囲にわたり吸引力を及ぼすことができる。
【００６０】
請求項７に記載の発明によれば、はがきに作用する吸引力が大きいので、厚手のはがきに印字しても、はがきを浮き上がらせることなく搬送できる。
【００６１】
請求項８に記載の発明によれば、各記録用紙の幅方向両端部が通過する溝部での吸引力のみを強くすることができ、従って、記録用紙のサイズ毎に吸引力を変えなくても記録用紙の浮き上がりを防止できる。
【図面の簡単な説明】
【図１】第１形態に係る記録装置の構成を示す正面図である。
【図２】第１形態に係る記録装置の平面図である。
【図３】第１形態に係る記録装置で吸引口から空気吸引することを示す側面断面図である。
【図４】第１形態に係る記録装置のプラテンの平面図である。
【図５】第１形態に係る記録装置でＡ４サイズの記録用紙を搬送することを示す平面図である。
【図６】第１形態に係る記録装置でＢ５サイズの記録用紙を搬送することを示す平面図である。
【図７】第１形態に係る記録装置でＡ５サイズの記録用紙を搬送することを示す平面図である。
【図８】第１形態に係る記録装置ではがきサイズの記録用紙を搬送することを示す平面図である。
【図９】第１形態に係る記録装置のプラテンの変形例を示す平面図である。
【図１０】第２形態に係る記録装置のプラテンの平面図である。
【図１１】第３形態に係る記録装置のプラテンの平面図である。
【図１２】第４形態に係る記録装置のプラテンの平面図である。
【図１３】第５形態に係る記録装置のプラテンの平面図である。
【図１４】従来の記録装置の構成を示す正面図である。
【図１５】従来の記録装置のプラテンの斜視図である。
【図１６】従来の記録装置のプラテンの側面断面図であり、矢視１６−１６から見た図である。
【図１７】従来の記録装置の構成を示す側面断面図であり、矢視１７−１７から見た図である。
【図１８】従来の記録装置の構成を示す平面図である。
【符号の説明】
１０  記録装置
１６  プラテン
１８  負圧室（吸引手段）
２０  吸引装置（吸引手段）
２４  排紙ローラ（ローラ）
２６  拍車
２８  記録ヘッド
３０  リブ
３４  吸引口
３４Ｐ１  吸引口
３４Ｐ２  吸引口
３４Ｐ３  吸引口
３４Ｐ４  吸引口
３４ＰＲ  吸引口
３４Ｗ  吸引口
３４Ｔ  吸引口
３４Ｔ１  吸引口
３４Ｔ２  吸引口
４０  溝部
４０Ａ  底面
４０Ｄ  溝部
４０Ｐ１  溝部
４０Ｐ２  溝部
４０Ｐ３  溝部
４０Ｐ４  溝部
４０ＰＲ  溝部
４０ＰＸ  溝部
５０  プラテン
５２  吸引口
５４  吸引口
６０  プラテン
７０  プラテン
８０  プラテン
８２  吸引口
８４  吸引口
【図１】
0004196503.tif 000002
【図２】
0004196503.tif 000003
【図３】
0004196503.tif 000004
【図４】
0004196503.tif 000005
【図５】
0004196503.tif 000006
【図６】
0004196503.tif 000007
【図７】
0004196503.tif 000008
【図８】
0004196503.tif 000009
【図９】
0004196503.tif 000010
【図１０】
0004196503.tif 000011
【図１１】
0004196503.tif 000012
【図１２】
0004196503.tif 000013
【図１３】
0004196503.tif 000014
【図１４】
0004196503.tif 000015
【図１５】
0004196503.tif 000016
【図１６】
0004196503.tif 000017
【図１７】
0004196503.tif 000018
【図１８】
0004196503.tif 000019